(57)【要約】      （修正有）【課題】既製の電動ハンドソーを使用可能にして、ブレードの横方向のブレを解消可能とし、被加工物をその長手方向に沿って容易に切断することができ、被加工物の搬送に要する横幅スペースを不要にして操作性及び作業性の良い電動カットソー装置を提供する。【解決手段】上面前方側に被加工物を上方に通すための横長の開口部３を形成した架台Ｋを備え、架台Ｋの開口部３の下方側には、被加工物を押し当てレバー９によって脱着可能とし且つ左右対向位置に配した縦長一対のガイドレール５Ａ，５Ｂに沿って上下方向にスライド可能としたスライド板４の裏面に、縦方向に沿って付設したラック及びラックに噛合するピニオンギアを備えて、架台Ｋの側面に配したハンドル８によって被加工物を開口部３に向けて移動可能とした。架台Ｋの略中央上面には、ブレード２の歯先が下向きとなって水平に配置され、開口部３から上方に突出移動してきた被加工物をブレード２によって縦方向に沿って切断可能にする電動ハンドソー１とを備えている。【選択図】図１
0003208542.tif 000002
【実用新案登録請求の範囲】
【請求項１】
被加工物を既製の電動ハンドソーで切り出す電動カットソー装置であって、上方に向かって被加工物を移動させる移動手段と、所定の間隔で離間する少なくとも２つの回転可能なローラの間に張設されて回転駆動するブレードが、移動手段上方において歯先が下向きとなって固定配置されてなる電動ハンドソーと、を備え、移動手段によって被加工物を上方に移動させながら、電動ハンドソーのブレードによって被加工物を縦方向に沿って切断可能にしていることを特徴とする電動カットソー装置。
【請求項２】
前記電動ハンドソーは、ブレードの歯先が下向きとなって配置されるように架台の上面に水平方向に配置され、ブレード直下の架台上面には、移動手段によって上方に移動してくる被加工物を通過させるための開口部が形成されている請求項１に記載の電動カットソー装置。
【請求項３】
移動手段は、架台の開口部下方において、前記被加工物を脱着可能とし、且つ開口部に向けて移動可能としたスライド板を備え、スライド板に固定された被加工物は、当該スライド板の上方への移動に伴って、前記開口部を介して上方のブレード位置まで移動する請求項２に記載の電動カットソー装置。
【請求項４】
移動手段は、スライド板を上下方向にスライド案内させるよう、架台の側面の対向位置に配した一対のガイドレールと、スライド板の裏面に縦方向に沿って付設したラックと、ラックに噛合するピニオンギアを備えて架台の側面に配したハンドルと、を備えてなる請求項３に記載の電動カットソー装置。
【請求項５】
移動手段は、被加工物をスライド板に固定する、押し当てレバーを備えている請求項３又は４に記載の電動カットソー装置。
【請求項６】
押し当てレバーは、スライド板に設けられたブラケットに第１支持軸を介して回動自在に取付けられた操作レバーと、ブラケットに第２支持軸を介して回動自在に取付けられ且つ操作レバーの回動操作に連動してスライド板に近接・離反するよう当該操作レバーに連繋された押し当てアーム部と、スライド板に装着された被加工物に圧接して保持するための、押し当てアーム部先端に固定された押し当て弾性部材と、によって構成されている請求項５に記載の電動カットソー装置。
【考案の詳細な説明】
【技術分野】
【０００１】
本考案は、木製や金属製等の板材を縦方向に切断加工するための既製の電動ハンドソーを利用した電動カットソー装置に関するものである。
【背景技術】
【０００２】
一般的に、既製の電動ハンドソーは、一端に付設されているグリップを手に持って切断操作するものであり、約７ｍｍ〜１５ｍｍの幅を有する帯状の鋸歯が２点のプーリ（回転軸）間に係回されて一方向に回転することで、「ぐるりと一周した平たい刃が、ぐるぐる回りながら切る」という特徴的な構造となっていて、その使用目的は、主に配管や鉄鋼材等の対象物を直線的に切断することに使われている。
【０００３】
一方、既製の電動糸鋸は、上下２点間を２ｍｍ〜３ｍｍの幅を有する一本の鋸歯が動くことにより物体を切断するもので、その使用目的は、ほとんどが曲線的に切断することに使われる。
【０００４】
このほか、既製の高速カッターやチップソー（円盤状の刃を回転させて切る）も配管や鉄鋼材等の硬質の対象物を切断するのに多く使用されている。
【０００５】
また、従来においては、外周にダイヤモンド砥粒を電着させた市販品の、直径が０．３〜０．５ｍｍ程度のダイヤモンドワイヤーで、ダイヤモンド砥粒を供給しながら切断を行うワイヤーソーによる手法として、特許文献１に示すように、縦方向に並列配置された２個のプーリと、両プーリを同調させて一定回転角で正逆回転させる駆動機構と、一端を一方のプーリに、他端を他方のプーリにそれぞれ固定して各プーリ間に張力を加えて掛け渡すワイヤーと、送り機構を有するワークテーブルとでワイヤーソーを構成し、プーリの正逆回転により各プーリの外周に対するワイヤーの巻きつけ、巻き戻しが繰り返されてワイヤーが長さ方向に往復運動し、その往復運動するワイヤーでワークテーブルに支持されたワークを擦って切断するものとした構造が開示されている。
【０００６】
また、従来においては、穴明け加工と切断加工とを同時にかつ自動的に行なえるようにする手法として、特許文献２に示すように、被加工材を載置して横送り方向に搬送する被加工材の長手方向へ延伸して設けられた搬送装置と、この搬送装置の適宜な位置に被加工材を切断する切断装置と、この切断装置の後方に固定して設けられ被加工材に穴明け加工を行なう穴明け装置とを備えて穴明け・切断装置とした構造が開示されている。
【先行技術文献】
【特許文献】
【０００７】
【特許文献１】特開２００８−６８３３２号公報
【特許文献２】特開平５−１５４７２９号公報
【考案の概要】
【考案が解決しようとする課題】
【０００８】
上記した様に、既製の電動ハンドソーは、一端に付設されているグリップを手に持って切断操作するものであることから、被加工物をその長手方向に沿って切断するには多大な困難が伴い、しかもブレードのブレ（横方向のブレ）を解消させることは難しい。
【０００９】
また、上記したように特許文献１によるワイヤーソーは、縦方向にブレードが回転するものであり、被加工物を横方向に切り込むものであることから、手に持って切断操作するハンドソーと同様に、この特許文献１による縦方向ではブレードのブレ（横方向のブレ）を解消させることは難しい。
【００１０】
さらに、上記したように特許文献２の穴明け・切断装置における搬送装置は、被加工材を横送り方向に搬送することから、搬送方向に沿って大きなスペースが要求され、装置全体が大型化してしまう。
【００１１】
また、特許文献２の穴明け・切断装置における切断装置は、横送り方向に搬送される被加工物を回転する丸鋸刃によって幅方向に切断する構造となっており、被加工物をその長手方向に沿って切断することは不可能な構成となっている。
【００１２】
そこで、本考案は如上のような従来存した諸事情に鑑み創出されたもので、既製の電動ハンドソーを使用可能にして、ブレードのブレ（横方向のブレ）を解消可能とし、被加工物をその長手方向に沿って容易に切断することができ、被加工物の搬送に要する横幅スペースを不要にして操作性及び作業性の良い構成とすることのできる電動カットソー装置を提供することを目的とする。
【課題を解決するための手段】
【００１３】
本考案に係る請求項１の考案は、被加工物Ｐを既製の電動ハンドソー１で切り出す電動カットソー装置であって、上方に向かって被加工物Ｐを移動させる移動手段Ｑと、所定の間隔で離間する少なくとも２つの回転可能なローラの間に張設されて回転駆動するブレード１が、移動手段Ｑ上方において歯先が下向きとなって固定配置されてなる電動ハンドソー１と、を備え、移動手段Ｑによって被加工物Ｐを上方に移動させながら、電動ハンドソー１のブレード２によって被加工物Ｐを縦方向に沿って切断可能にしていることで、上述した課題を解決した。
【００１４】
この請求項１に係る電動カットソー装置によれば、移動手段Ｑによって被加工物Ｐを上方に移動させながら、電動ハンドソー１のブレード２の下向きとなった歯先によって被加工物Ｐを縦方向に切断可能にしていることから、被加工物Ｐを長手方向に沿ってスムーズに切断することができる。
【００１５】
本考案に係る請求項２の考案は、前記電動ハンドソー１は、ブレード２の歯先が下向きとなって配置されるように架台Ｋの上面に水平方向に配置され、ブレード２直下の架台Ｋ上面には、移動手段Ｑによって上方に移動してくる被加工物Ｐを通過させるための開口部３が形成されていることで、同じく、上述した課題を解決した。
【００１６】
この請求項２に係る電動カットソー装置によれば、移動手段Ｑによって上方に移動してくる被加工物Ｐは、ブレード２直下の架台Ｋ上面に形成された開口部３を通過させるため、被加工物Ｐは開口部３の内縁によって保持されながら横ブレのない状態となってスムーズに切断することができる。
【００１７】
本考案に係る請求項３の考案は、移動手段Ｑは、架台Ｋの開口部３下方において、前記被加工物Ｐを脱着可能とし、且つ開口部３に向けて移動可能としたスライド板４を備え、スライド板４に固定された被加工物Ｐは、当該スライド板４の上方への移動に伴って、前記開口部３を介して上方のブレード２位置まで移動することで、同じく、上述した課題を解決した。
【００１８】
この請求項３に係る電動カットソー装置電動カットソー装置によれば、被加工物Ｐはスライド板４に固定された状態で当該スライド板４の上方への移動に伴って、開口部３を介して上方のブレード２位置まで移動するため、被加工物Ｐは確実に横ブレのない状態となってスムーズに切断することができる。
【００１９】
本考案に係る請求項４の考案は、移動手段Ｑは、スライド板４を上下方向にスライド案内させるよう、架台Ｋの側面の対向位置に配した一対のガイドレール５Ａ，５Ｂと、スライド板４の裏面に縦方向に沿って付設したラック６と、ラック６に噛合するピニオンギア７を備えて架台Ｋの側面に配したハンドル８と、を備えてなることで、同じく、上述した課題を解決した。
【００２０】
この請求項４に係る電動カットソー装置によれば、ハンドル８の回転操作のみで切断加工を円滑に実施することができ、作業効率を飛躍的に向上させることができる。
【００２１】
本考案に係る請求項５の考案は、移動手段Ｑは、被加工物Ｐをスライド板４に固定する、押し当てレバー９を備えていることで、同じく、上述した課題を解決した。
【００２２】
この請求項５に係る電動カットソー装置によれば、スライド板４に対する被加工物Ｐの脱着作業が押し当てレバー９の操作によってスムーズに行える。
【００２３】
本考案に係る請求項６の考案は、押し当てレバー９は、スライド板４に設けられたブラケット１０に第１支持軸１０Ａを介して回動自在に取付けられた操作レバー１１と、ブラケット１０に第２支持軸１０Ｂを介して回動自在に取付けられ且つ操作レバー１１の回動操作に連動してスライド板４に近接・離反するよう当該操作レバー１１に連繋された押し当てアーム部１２と、スライド板４に装着された被加工物Ｐに圧接して保持するための、押し当てアーム部１２先端に固定された押し当て弾性部材１３と、によって構成されていることで、同じく、上述した課題を解決した。
【００２４】
この請求項６に係る電動カットソー装置によれば、スライド板４に対する被加工物Ｐの脱着作業が押し当てレバー９の回動操作によってスムーズに行える。すなわち、操作レバー１１を、当初横側方向に向いている状態から、第１支持軸１０Ａを支点にして角度９０°だけ前方向きの状態となるように回動操作することで、これに連動して押し当てアーム部１２が第２支持軸１０Ｂを支点にしてスライド板４への近接方向に回動し、押し当てアーム部１２の先端の押し当て弾性部材１３により、スライド板４にあてがった被加工物Ｐを前面から支えるものとなることから、スライド板４に対する被加工物Ｐの固定が確実に行える。
【００２５】
また、操作レバー１１を、当初前方向きの状態から、第１支持軸１０Ａを支点にして角度９０°だけ横側方向に向いている状態に回動操作することで、これに連動して押し当てアーム部１２が第２支持軸１０Ｂを支点にしてスライド板４から離反方向に回動し、押し当てアーム部１２の先端の押し当て弾性部材１３は、スライド板４にあてがった被加工物Ｐを解放させるものとなることから、スライド板４からの被加工物Ｐの取外しが確実に行える。
【考案の効果】
【００２６】
本考案に係る電動カットソー装置により、既製の電動ハンドソー１を使用可能にして、ブレード２のブレ（横方向のブレ）を解消可能とし、被加工物Ｐをその長手方向に沿って容易に切断することができ、被加工物Ｐの搬送に要する横幅スペースを不要にして操作性及び作業性の良い構成とすることができる。
【００２７】
具体的には、上面前方側に被加工物Ｐを上方に通すための横長の開口部３を形成した架台Ｋと、架台Ｋの開口部３の下方において被加工物Ｐを押し当てレバー９によって脱着可能とし且つ左右対向位置に配した縦長一対のガイドレール５Ａ，５Ｂに沿って上下方向にスライド可能としたスライド板４の裏面に縦方向に沿って付設したラック６及びラック６に噛合するピニオンギア７を備えて架台Ｋの側面に配したハンドル８それぞれによって被加工物Ｐを開口部３に向けて移動可能とした移動手段Ｑと、ブレード２の歯先が下向きとなって配置されるよう架台Ｋの略中央上面に水平方向に配置され且つ前記開口部３から上方に突出移動してきた被加工物Ｐをブレード２によって縦方向に沿って切断可能にする電動ハンドソー１とを備えてなるので、ハンドル８の回転操作のみで切断加工を円滑に実施することができ、作業効率を飛躍的に向上させることができる。
【図面の簡単な説明】
【００２８】
【図１】本考案に係る電動カットソー装置を斜め前方から視た状態の斜視図である。
【図２】同じく電動カットソー装置を斜め後方から視た状態の斜視図である。
【図３】図３中、（ａ）は電動カットソー装置の正面図、（ｂ）は電動カットソー装置の下面図である。
【図４】図４中、（ａ）は電動カットソー装置の背面図、（ｂ）は電動カットソー装置の側面図である。
【図５】図５中、（ａ）は被加工物の装着前の斜視図、（ｂ）は被加工物を装着した状態の斜視図である。
【図６】図６中、（ａ）は被加工物を装着したスライド板をハンドルによって上方移動させる前状態の斜視図、（ｂ）は被加工物を装着したスライド板をハンドルによって上方移動させ、被加工物をブレードによって縦方向に沿って切断した状態の斜視図である。
【図７】図７中、（ａ）は移動手段を斜め前方から視た状態の斜視図、（ｂ）は移動手段を斜め後方から視た状態の斜視図である。
【図８】図８中、（ａ）は移動手段からスライド板を取外した状態を斜め前方から視た斜視図、（ｂ）は移動手段からスライド板を取外した状態を斜め後方から視た斜視図である。
【図９】図９中、（ａ）は移動手段から取外したスライド板を斜め前方から視た斜視図、（ｂ）は移動手段から取外したスライド板を斜め後方から視た斜視図である。
【図１０】スライド板の分解斜視図である。
【考案を実施するための形態】
【００２９】
以下に、図面を参照して、本考案の一実施の形態について説明する。
【００３０】
＜実施の形態＞
本考案に係る電動カットソー装置は、図１乃至図６に示すように、上面前方側に被加工物Ｐを上方に通すための横長の開口部３を形成した架台Ｋを備えている。また、架台Ｋの開口部３の下方側には、被加工物Ｐを押し当てレバー９によって脱着可能とし且つ左右対向位置に配した縦長一対のガイドレール５Ａ，５Ｂに沿って上下方向にスライド可能としたスライド板４の裏面に縦方向に沿って付設したラック６及びラック６に噛合するピニオンギア７を備えて架台Ｋの側面に配したハンドル８それぞれによって被加工物Ｐを開口部３に向けて移動可能とした移動手段Ｑを備えている。
【００３１】
さらに、架台Ｋの略中央上面には、ブレード２の歯先が下向きとなって水平に配置され、前記開口部３から上方に突出移動してきた被加工物Ｐをブレード２によって縦方向に沿って切断可能にする電動ハンドソー１とを備えている。
【００３２】
架台Ｋは、下面四隅に脚部Ｋ１，Ｋ２，Ｋ３，Ｋ４を備えたテーブル状に形成され、その上面前側には、図１に示すように、被加工物Ｐを通過させるための横長矩形開口状の開口部３が形成されている。また、図２及び図４に示すように、架台Ｋの上面には前記開口部３に隣接してＬ字板状の傾斜載置用衝立Ｌが付設され、ブレード２の歯先が下向きとなって水平に配置されるよう電動ハンドソー１を前下がりの傾斜状となって載置固定させるものとしてある。
【００３３】
さらに、図１乃至図４に示すように、架台Ｋの上面には前記傾斜載置用衝立Ｌに隣接して、電動ハンドソー１のモータＭを駆動するためのスイッチＳが配されている。
【００３４】
電動ハンドソー１としては、被加工物Ｐを手動式で切り出すための既製のものが使用されている。すなわち、電動ハンドソー１は、約７ｍｍ〜１５ｍｍの幅を有する帯状のブレード２（鋸歯）が不図示の２点のプーリ（回転軸）間に係回され、モータＭによって一方向に回転駆動されることで、「ぐるりと一周した平たい刃が、ぐるぐる回りながら切る」という特徴的な構造となっていて、その使用目的は、主に配管や鉄鋼材等の対象物を直線的に切断することに使われているものである。
【００３５】
なお、図１乃至図４に示すように、電動ハンドソー１の一側端には、凹部１Ａが形成されており、被加工物Ｐを切断するために、前記ブレード２の一部がこの凹部１Ａから露出し、この露出したブレード２部分が前記開口部３の真上に位置するようにしてある。
【００３６】
移動手段Ｑは、図２、図４、図７、図８、図９に示すように、架台Ｋの開口部３下方において当該開口部３を介して左右対称となるように、アングル部材からなる一対のガイドレール５Ａ，５Ｂそれぞれが、水平方向と斜め方向とに適宜に枠組みされた吊下支持枠部材２２によって垂設されている。
【００３７】
そして、被加工物Ｐを後述する押し当てレバー９によって脱着可能としたスライド板４両側のサイド枠部２１Ａ，２１Ｂの略中央に各付設されている矩形突起状のスライダ４Ａ，４Ｂがガイドレール５Ａ，５Ｂに各係合されてスライド板４を上下方向にスライド案内させるものとしてある。
【００３８】
これにより、スライド板４に固定された被加工物Ｐは、当該スライド板４の上方への移動に伴って、前記開口部３を通過させて上方のブレード２位置まで移動できるようにしてある。
【００３９】
また、図２、図４（ａ）、図７（ｂ）、図８（ｂ）、図９（ｂ）及び図１０に示すように、スライド板４の裏面中央には、縦方向に沿う角棒状の基台６Ａを介してラック６が付設されている。
【００４０】
そして、架台Ｋの前側面において、一対のガイドレール５Ａ，５Ｂに各付設された軸受８Ｂ，８Ｃに、一端にハンドル８を備えた回転軸８Ａが回転自在に軸支されている。この軸受８Ｂ，８Ｃの中間に位置する回転軸８Ａの端部側にはピニオンギア７が固着されており、このピニオンギア７は前記ラック６に噛合している。
【００４１】
これにより、図５及び図６に示すように、ハンドル８の回転操作で、ガイドレール５Ａ，５Ｂに沿ってスライド板４を上方に移動させることで、スライド板４に固定された被加工物Ｐの上端側を開口部３に通過させて上方のブレード２位置にて切断加工され、図６（ｂ）に示すように、カット部分Ｃが形成されるものとしてある。
【００４２】
図９（ａ）及び図１０に示すように、スライド板４の前面には、上下左右の合計４箇所に、被加工物Ｐを横方にずれないように保持するためのＬ字片状の位置決め用保持枠部２０が取付けられ、このうち正面視右側の上下の位置決め用保持枠部２０はともにスライド板４の端部よりも若干内側に取付けられている。
【００４３】
そして、この内側の位置決め用保持枠部２０とスライド板４の端部との間には、スライド板４の前面で位置決め用保持枠部２０によって保持された被加工物Ｐを前方から固定するための押し当てレバー９が取付けられている。
【００４４】
押し当てレバー９は、図９（ａ）及び図１０に示すように、上下一対のＬ字片からなるブラケット１０の各一端片部分が相互に逆向きとなってスライド板４前面にネジ止め等で固定され、その前方突出した他端片部分はともに平面視略直角三角形状となって形成され、これら相互間には隙間が形成されている。
【００４５】
そして、このブラケット１０の他端片部分同士の隙間には、押し当てアーム部１２の後端部が挿入され、ブラケット１０の他端片部分同士の先端側の第２支持軸１０Ｂを介して水平方向に９０°の角度範囲に回動自在となって取付けられている。
【００４６】
さらに、ブラケット１０の他端片部分同士には、操作レバー１１の二股状となった後端部が、ブラケット１０の他端片部分同士の後端側の第１支持軸１０Ａを介して水平方向に９０°の角度範囲に回動自在となって取付けられ、操作レバー１１の回動操作に連動して押し当てアーム部１２がスライド板４に近接・離反するよう当該操作レバー１１の後部側二股間に押し当てアーム部１２が連繋されている。
【００４７】
また、押し当てアーム部１２の先端は二股状の支持片部分となっており、この支持片部分の間には、スライド板４に装着された被加工物Ｐに圧接して保持するための押し当て弾性部材１３の後端部のネジ部分が装着され、反対側からナット等で締結固定してある。こうして、スライド板４に対する被加工物Ｐの脱着作業が押し当てレバー９の回動操作によってスムーズに行えるものとしてある。
【００４８】
すなわち、操作レバー１１を、当初横側方向に向けられている状態から、第１支持軸１０Ａを支点にして角度９０°だけ前方向き状態となるように回動操作することで、これに連動して押し当てアーム部１２が第２支持軸１０Ｂを支点にしてスライド板４への近接方向に回動し、押し当てアーム部１２の先端の押し当て弾性部材１３により、スライド板４にあてがった被加工物Ｐを前面から支えるものとなる。
【００４９】
また、操作レバー１１を、当初前方向に向けられている状態から、第１支持軸１０Ａを支点にして角度９０°だけ横側方向に向けられた状態となるように回動操作することで、これに連動して押し当てアーム部１２が第２支持軸１０Ｂを支点にしてスライド板４から離反方向に回動し、押し当てアーム部１２の先端の押し当て弾性部材１３は、スライド板４にあてがった被加工物Ｐを解放させるものとなる。
【００５０】
以下に、本考案における使用方法を、図５及び図６に基づき詳細に説明する。
【００５１】
図５（ａ）に示すように、予め、ハンドル８の回転操作によってスライド板４を最下位置まで移動させておく。そして、操作レバー１１を横側方向に向けられた状態となるよう回動操作することで、押し当てアーム部１２（押し当て弾性部材１３を含む）をスライド板４から離反させる。
【００５２】
そして、図５（ｂ）に示すように、スライド板４前面において、位置決め用保持枠部２０によって保持されるように被加工物Ｐの背面側（図示においては扁平コ字形の板材の背面）をあてがっておき、操作レバー１１を、横側方向に向けられている状態から角度９０°だけ前方向き状態となるように回動操作することで、押し当てアーム部１２の先端の押し当て弾性部材１３により被加工物Ｐを前面から支える。
【００５３】
このとき、被加工物Ｐの切断に要する上端部分は、スライド板４の上端よりも上方に突出している。
【００５４】
図６（ａ）に示すように、電動ハンドソー１のモータＭを駆動するためのスイッチＳをオンにして、ブレード２を回転駆動させる。
【００５５】
図６（ｂ）に示すように、ハンドル８を回転操作して、スライド板４を上方へ移動させる。これにより、スライド板４に固定された被加工物Ｐの上端側は開口部３を通過し、上方のブレード２位置にて切断加工され、カット部分Ｃが形成される。
【００５６】
なお、本考案は、その趣旨を逸脱しない範囲内において、種々の変更が加えられて実施されるものである。また、前記傾斜載置用衝立Ｌは既製の電動ハンドソー１をただ単に支えておくだけでも良い。さらに、スライド板４に装着される被加工物Ｐの形状は、扁平コ字形の板材に限らず、開口部３を通過できるものであれば如何なる形状であっても良い。
【産業上の利用可能性】
【００５７】
本考案は、被加工物Ｐを縦方向に切断加工するための既製の電動ハンドソー１を利用した電動カットソー装置として、種々の作業現場において、幅広く利用されるものである。
【符号の説明】
【００５８】
Ｐ…被加工物
Ｑ…移動手段
Ｋ…架台
Ｋ１…脚部
Ｋ２…脚部
Ｋ３…脚部
Ｋ４…脚部
Ｌ…傾斜載置用衝立
Ｍ…モータ
Ｓ…スイッチ
Ｃ…カット部分
１…電動ハンドソー
１Ａ…凹部
２…ブレード
３…開口部
４…スライド板
４Ａ…スライダ
４Ｂ…スライダ
５Ａ…ガイドレール
５Ｂ…ガイドレール
６…ラック
６Ａ…基台
７…ピニオンギア
８…ハンドル
８Ａ…回転軸
８Ｂ…軸受
８Ｃ…軸受
９…押し当てレバー
１０…ブラケット
１０Ａ…第１支持軸
１０Ｂ…第２支持軸
１１…操作レバー
１２…押し当てアーム部
１３…押し当て弾性部材
２０…位置決め用保持枠部
２１Ａ…サイド枠部
２１Ｂ…サイド枠部
【図１】
0003208542.tif 000003
【図２】
0003208542.tif 000004
【図３】
0003208542.tif 000005
【図４】
0003208542.tif 000006
【図５】
0003208542.tif 000007
【図６】
0003208542.tif 000008
【図７】
0003208542.tif 000009
【図８】
0003208542.tif 000010
【図９】
0003208542.tif 000011
【図１０】
0003208542.tif 000012